(57)【特許請求の範囲】
【請求項１】
内部導体の外周を覆う外部導体とその外部導体の外周を覆うシースとを有するシールドケーブルの端末部分に接続される端子金具であって、
前記シールドケーブルの端末部分の前記シースを皮剥きすることで露出された前記外部導体に圧着される圧着部を備え、
前記圧着部における前記外部導体を挟んで圧着方向両側に、溝部が形成され、前記圧着部における前記外部導体を挟んで前記圧着方向と交差する方向に対向する両対向部の少なくとも一方に、凸部が形成されており、
前記凸部の頂点が前記圧着方向に延びていることを特徴とする端子金具。
【請求項２】
前記圧着部は、オーバーラップ形状で重ね合わされる一対の圧着片を備えて構成され、前記溝部は、両圧着片のうち前記外部導体に圧着される圧着片に形成され、前記凸部は、前記両圧着片の少なくとも一方の基端部に形成されていることを特徴とする請求項１に記載の端子金具。
【請求項３】
前記両圧着片の双方の基端部付近に、前記凸部が形成されていることを特徴とする請求項２に記載の端子金具。
【請求項４】
内部導体の外周を覆う外部導体とその外部導体の外周を覆うシースとを有するシールドケーブルの端末部分に接続される端子金具であって、
前記シールドケーブルの端末部分の前記シースを皮剥きすることで露出された前記外部導体に圧着される圧着部を備え、
前記圧着部における前記外部導体を挟んで圧着方向両側に、溝部が形成され、前記圧着部における前記外部導体を挟んで前記圧着方向と交差する方向に対向する両対向部の少なくとも一方に、凸部が形成されており、
前記圧着部は、オーバーラップ形状で重ね合わされる一対の圧着片を備えて構成され、前記溝部は、両圧着片のうち前記外部導体に圧着される圧着片に形成され、前記凸部は、前記両圧着片の少なくとも一方の基端部に形成されており、
前記両圧着片の一方の基端部付近に前記凸部が形成され、同他方の基端部付近に凹部が形成されていることを特徴とする端子金具。
【発明の詳細な説明】
【技術分野】
【０００１】
本発明は、端子金具に関する。
【背景技術】
【０００２】
従来、シールドケーブルの端末部分に接続される端子金具として、例えば下記特許文献１に記載の端子金具が知られている。この端子金具は、シールドケーブルの端末部分のシースを皮剥きすることで露出された外部導体が圧着される圧着部を備えている。この圧着部の内面には、網目状の凹部が形成されている。このため、外部導体を圧着部によって上下方向から圧着すると、外部導体が凹部の内部に食い込むことによってシールドケーブルの端末部分に端子金具が保持される。
【先行技術文献】
【特許文献】
【０００３】
【特許文献１】特開２００８−２８７８９９号公報
【発明の概要】
【発明が解決しようとする課題】
【０００４】
上記の構成において、シールドケーブルの端末部分と圧着部との保持力をさらに高めようとした場合、通常よりも高い圧着条件で圧着部をシールドケーブルの端末部分に対して高圧縮に圧着させることが考えられる。しかしながら、上下方向から圧着を行っているため、シールドケーブルの内部導体が上下方向から強い力を受けて断線する場合がある。かといって、通常の圧着条件のまま、圧着部における上下両側に凸部を設けてこの凸部を編組線に食い込ませるように圧着を行うと、シールドケーブルの端末部分と端子金具との間で高い保持力を発生させることはできるものの、凸部によって内部導体が圧迫されて断線しやすくなってしまう。
【０００５】
本発明は上記のような事情に基づいて完成されたものであって、内部導体を破断させることなくシールドケーブルの端末部分と圧着部との保持力を高めることを目的とする。
【課題を解決するための手段】
【０００６】
本発明は、内部導体の外周を覆う外部導体とその外部導体の外周を覆うシースとを有するシールドケーブルの端末部分に接続される端子金具であって、シールドケーブルの端末部分のシースを皮剥きすることで露出された外部導体に圧着される圧着部を備え、圧着部における外部導体を挟んで圧着方向両側に、溝部が形成され、圧着部における外部導体を挟んで圧着方向と交差する方向に対向する両対向部の少なくとも一方に、凸部が形成されており、前記凸部の頂点が前記圧着方向に延びている構成としたところに特徴を有する。
【０００７】
このような構成によると、圧着部を圧着した場合に、最も圧着力を受けやすい圧着部における圧着方向両側に溝部が形成されているため、外部導体が溝部に食い込むものの、内部導体を断線させるほどの過大な力が内部導体に加わることはない。一方、圧着部における圧着方向と交差する方向に対向する両対向部は圧着力を受けても内部導体を狭圧するように作用しないため、対向部に凸部を設けても内部導体を断線させることはない。したがって、外部導体が溝部に食い込むことに加えて、凸部が外部導体に食い込むことにより、シールドケーブルの端末部分と圧着部との保持力を高めることができる。
【０００８】
本発明の実施の態様として、以下の構成が好ましい。
圧着部は、オーバーラップ形状で重ね合わされる一対の圧着片を備えて構成され、溝部は、両圧着片のうち外部導体に圧着される圧着片に形成され、凸部は、両圧着片の少なくとも一方の基端部付近に形成されている構成としてもよい。
このような構成によると、両圧着片をオーバーラップ形状で圧着することにより、外部導体を溝部に食いませるとともに、凸部を外部導体に食い込ませることができる。また、圧着の際に変形しにくい圧着片の基端部付近に凸部を設けたため、凸部の形崩れを規制しやすくなる。
【０００９】
両圧着片の双方の基端部付近に、凸部が形成されている構成としてもよい。
このような構成によると、左右両側から凸部を外部導体に食い込ませることができるため、シールドケーブルの端末部分と圧着部との保持力を高めることができる。
【００１０】
両圧着片の一方の基端部付近に凸部が形成され、同他方の基端部付近に凹部が形成されている構成としてもよい。
このような構成によると、両圧着片の一方においては凸部を外部導体に食い込ませることができ、同他方においては外部導体を凹部に食い込ませることができる。すなわち、凸部をシールドケーブルに押し込むのではなく、凸部と凹部との間でシールドケーブルを蛇行させることができるため、蛇行による引っ掛かりによってシールドケーブルと圧着部との保持力を高めることができる。
【発明の効果】
【００１１】
本発明によれば、内部導体を破断させることなくシールドケーブルの端末部分と圧着部との保持力を高めることができる。
【図面の簡単な説明】
【００１２】
【図１】実施形態１の端子金具の側面図
【図２】端子金具の展開状態を示した平面図
【図３】図１におけるＡ−Ａ線断面図
【図４】図１におけるＢ−Ｂ線断面図
【図５】実施形態２の端子金具を左右方向に切断した図であって、図３に対応する断面図
【図６】実施形態２の端子金具を上下方向に切断した図であって、図４に対応する断面図
【発明を実施するための形態】
【００１３】
＜実施形態１＞
本発明の実施形態１を図１ないし図４の図面を参照しながら説明する。本実施形態の端子金具１０は、図１に示すように、高周波コネクタ用の外導体端子とされている。この端子金具１０は、略筒状をなす本体部２０、本体部２０の後方に設けられた圧着部３０などを備えて構成されている。本体部２０の内部には、内導体端子（図示せず）が収容されており、内導体端子と本体部２０との間には、これらを絶縁する誘電部材（図示せず）が配設されている。本体部２０と圧着部３０は電気的に接続されており、圧着部３０が後述する外部導体４３にアース接続されることで、内導体端子が本体部２０によって電磁的にシールドされる。
【００１４】
端子金具１０は、金属平板を所定の形状に打ち抜いて折り曲げ加工などをすることにより形成されている。誘電部材は、本体部２０の側部に形成された抜止片２１（図２参照）によって抜け止めされている。また、本体部２０の下面には、一対のスタビライザ２２が下方に突出して設けられている。なお、図２に示す金属平板２０Ａを回曲することで突き合わせ状態となる一対の突き合わせ端部２３には、内部よりも間口が狭くなったあり溝部２４と、このあり溝部２４に適合して嵌り込む引掛け部２５とが設けられている。
【００１５】
圧着部３０に接続される同軸ケーブル４０は、複数本の金属素線を撚り合わせてなる内部導体４１と、この内部導体４１の外周を覆う誘電体４２と、この誘電体４２の外周を覆う外部導体４３と、この外部導体４３の外周を覆うシース４４とから構成されている。外部導体４３は、内部導体４１と同様の金属素線を網目状に編み込んでなる編組線からなり、同軸ケーブル４０の端末部分のシース４４を皮剥きすることで露出されている。同様にして、内部導体４１は、誘電体４２を皮剥きすることで露出されており、この露出された内部導体４１に内導体端子（図示せず）が導通可能に接続されている。
【００１６】
圧着部３０は、図１に示すように、外部導体４３に圧着される一対の外部導体圧着片３１，３１、シース４４に圧着される一対のシース圧着片３２，３２などを備えて構成されている。これらの圧着片３１，３２の基端部は、いずれも本体部２０から後方に延出された底面部３３の両側縁に連結されている。すなわち、図２に示すように、本体部２０の後方には、両外部導体圧着片３１，３１が底面部３３の両側縁から側方に延びる形態をなし、両外部導体圧着片３１，３１の後方には、両シース圧着片３２，３２が底面部３３の両側縁から側方に延びる形態をなしている。
【００１７】
圧着部３０は、底面部３３の両側部３３Ｂ，３３Ｂを上方に立ち上げることで形成されている。これにより、底面部３３の断面形状は、図４に示すように、上方に開口した略Ｕ字状となっている。したがって、圧着部３０が同軸ケーブル４０の端末部分に圧着された状態では、図１に示すように、同軸ケーブル４０の下半分が底面部３３によって覆われるようになっている。このため、本実施形態では、本発明でいう「対向部」は、底面部３３のうち上方に立ち上げられた両側部３３Ｂと、両外部導体圧着片３１の基端部寄りの部分とによって構成されている。
【００１８】
底面部３３において外部導体圧着片３１に圧着される面には、綾目のローレット状をなす複数の溝部からなる第１セレーション部３４が形成されている。また、両外部導体圧着片３１において外部導体４３に圧着される面には、第１セレーション部３４と同様の溝部からなる第２セレーション部３５が形成されている。両外部導体圧着片３１，３１は、オーバーラップ形状（上下に重ね合わせた状態）で圧着されるようになっている。さらに、上側の外部導体圧着片３１（図２における図示上側の外部導体圧着片３１）において、かしめられた際に下側となる外部導体圧着片３１に重合される面には、第２セレーション部３５が形成されていない。
【００１９】
下側の外部導体圧着片３１の先端の内側の面には、前後方向に延びるＶ溝３１Ａが形成されている。このＶ溝３１Ａを設けることで、圧着の際に、Ｖ溝３１Ａを曲げ縁として下側の外部導体圧着片３１が折れ曲がりやすくなる。このため、下側の外部導体圧着片３１が上側の外部導体圧着片３１よりも先に外部導体４３側に折れ曲がり、両外部導体圧着片３１，３１が上下に重なり合った状態で外部導体４３に圧着される。
【００２０】
底面部３３においてシース圧着片３２に圧着される面には、第１セレーション部３４と同様の溝部からなる第３セレーション部３６が形成されている。第３セレーション部３６の幅方向中央部には、幅方向に長い長孔３６Ａが形成されており、この長孔３６Ａよりも後方部分には、第３セレーション部３６が形成されていない。この長孔３６Ａには、圧着の際にシース４４が入り込むようになっており、シース４４と底面部３３との固着力向上に寄与している。
【００２１】
また、シース圧着片３２においてシース４４に圧着される面には、第３セレーション部３６と同様の溝部からなる第４セレーション部３７が形成されている。両シース圧着片３２，３２は、両外部導体圧着片３１，３１と同様に、オーバーラップ形状で圧着されるようになっている。したがって、上側のシース圧着片３２（図２における図示下側のシース圧着片３２）において、かしめられた際に下側となるシース圧着片３２に重合される面には、第４セレーション部３７が形成されていない。さらに、下側のシース圧着片３２の先端の内側の面には、前後方向に延びるＶ溝３２Ａが形成されている。このＶ溝３２Ａを曲げ縁として下側のシース圧着片３２が上側のシース圧着片３２よりも先にシース４４側に折れ曲がり、両シース圧着片３２，３２が上下に重なり合った状態でシース４４に圧着される。
【００２２】
圧着部３０の圧着を行うと、外部導体４３が第１セレーション部３４と第２セレーション部３５の内部に食い込むとともに、シース４４が第３セレーション部３６と第４セレーション部３７の内部に食い込むことで、同軸ケーブル４０の端末部分が圧着部３０に保持される。ここで、圧着部３０による保持力を向上させるためには、同軸ケーブル４０の端末部分を高圧縮に圧着することが考えられる。しかしながら、圧着部３０の圧着条件を通常よりも高くすると、内部導体４１が破断しやすくなったり、同軸ケーブル４０の断面形状が扁平形状になることで高周波特性に影響を与えるなどのおそれもある。このため、圧着部３０の圧着条件を変えることなく、圧着部３０による保持力を向上させることが望ましい。
【００２３】
そこで、本実施形態では、底面部３３において両外部導体圧着片３１の基端部と対応する位置に、一対の凸部３８を設けている。凸部３８は、図２に示すように、第２セレーション部３５と第１セレーション部３４との間に配置されている。凸部３８は、内側に突出する略山形をなしている。凸部３８の頂点に位置する曲げ縁は、上下方向に延びる形態とされている。すなわち、端子金具１０の展開状態では、図２に示すように、凸部３８の頂点に位置する曲げ縁が、側方に延びる形態とされている。
【００２４】
両凸部３８は、圧着部３０が同軸ケーブル４０の端末部分に圧着された状態では、図４に示すように、内部導体４１の左右両側に配置されている。さらに、両凸部３８は、同軸ケーブル４０の軸心に関してほぼ左右対称に配置されている。このため、外部導体４３は、図３に示すように、両凸部３８によって左右両側から押し込まれる一方、内部導体４１は、両凸部３８によって左右両側から押し込まれる力が打ち消し合うため、曲げられることなく直線状態に保持される。
【００２５】
一般に、圧着部３０の圧着は、アンビル（図示せず）とクリンパ（図示せず）によって上下方向から狭圧されることによって行われる。このため、圧着によって両凸部３８が左右方向に押し込まれることはなく、内部導体４１が両凸部３８によって左右両側から圧迫されて断線することはない。底面部３３の下部３３Ａと両外部導体圧着片３１，３１との間で同軸ケーブル４０が上下方向から狭圧されると、上下方向に逃げ場を失った同軸ケーブル４０が左右両側に変形して広がり、外部導体４３とシース４４が両凸部３８の形状に追従する。この結果、外部導体４３とシース４４に対して両凸部３８が左右両側から食い込んだ状態となり、同軸ケーブル４０の端末部分と圧着部３０との保持力を向上させることができる。
【００２６】
すなわち、両凸部３８の間隔は、圧着部３０を上下方向から圧着することによって狭くなることはなく、両凸部３８によって内部導体４１が受ける荷重が急激に増加することはない。仮に、両凸部を底面部３３の下部３３Ａと下側の外部導体圧着片３１とに設けた場合には、圧着部３０を上下方向から圧着することによって両凸部の間隔が狭くなるため、両凸部によって内部導体４１が受ける荷重が急激に増加し破断してしまう。
【００２７】
要するに、本実施形態では圧着部３０において圧着方向と直交する方向に対向する両対向壁（底面部３３の両側部３３Ｂ，３３Ｂと両外部導体圧着片３１，３１の基端部寄りの部分）に両凸部３８を設けたから、アンビルとクリンパによる圧着力が内部導体４１に直接加わることを回避できる。一方、外部導体４３と誘電体４２は、上下方向から圧着力を受けて左右両側に広がるように変形し、両凸部３８に沿って食い込んだ状態となるため、同軸ケーブル４０の端末部分と圧着部３０との保持力を高めることができる。
【００２８】
また、凸部３８を外部導体圧着片３１と底面部３３の側部３３Ｂとの間に設けたから、圧着によって凸部３８が変形しにくく、凸部３８の形崩れを回避できる。さらに、両凸部３８によって左右両側から同軸ケーブル４０を挟み込むようにしているため、同軸ケーブル４０の端末部分と圧着部３０との保持力をさらに高めることができる。
【００２９】
＜実施形態２＞
次に、本発明の実施形態２を図５および図６の図面を参照しながら説明する。本実施形態は、実施形態１における両凸部３８の構造を一部変更したものであって、実施形態１と共通する構成、作用、および効果については重複するため、その説明を省略するものとする。また、実施形態１と同じ構成については同一の符号を用いるものとする。
【００３０】
本実施形態は、実施形態１における両凸部３８の一方を凹部３９に変更したものである。つまり、下側の外部導体圧着片３１と底面部３３との間に、径方向外側に突出する（展開状態では図２における紙面手前側から奥側に突出する）山形形状をなしている。凹部３９の頂点に位置する曲げ縁は、凸部３８と同様に、上下方向に延びる形態とされている。凸部３８と凹部３９は、同軸ケーブル４０の軸心に関してほぼ左右対称に配置されている。
【００３１】
このような構成では、底面部３３の下部３３Ａと両外部導体圧着片３１，３１との間で同軸ケーブル４０の端末部分が上下方向から狭圧されると、上下方向に逃げ場を失った同軸ケーブル４０が左右両側に変形して広がり、外部導体４３とシース４４が凸部３８と凹部３９の形状に追従する。この結果、同軸ケーブル４０の端末部分は、凸部３８と凹部３９との間で蛇行した状態となるものの、左右両側から圧縮力を受けることはないため、内部導体４１が断線することはない。さらに、外部導体４３とシース４４が凸部３８と凹部３９に対して引っ掛かった状態となるため、同軸ケーブル４０の端末部分と圧着部３０との保持力を向上させることができる。
【００３２】
＜他の実施形態＞
本発明は上記記述及び図面によって説明した実施形態に限定されるものではなく、例えば次のような実施形態も本発明の技術的範囲に含まれる。
（１）実施形態１では、両凸部３８が同軸ケーブル４０の軸心に対して左右対称に配置されているものの、本発明によると、両凸部３８が前後方向にずれて配置されていてもよい。同様に、実施形態２では、凸部３８と凹部３９が前後方向にずれて配置されていてもよい。
【００３３】
（２）上記実施形態では、両外部導体圧着片３１，３１がオーバーラップ形状で圧着されているものの、本発明によると、両外部導体圧着片が前後方向にずれて圧着されていてもよいし、圧着部を円筒状をなすクローズドバレルによって構成してもよい。
【００３４】
（３）上記実施形態では凹部を山形に形成しているものの、本発明によると、凹部を貫通孔として形成してもよい。
【００３５】
（４）実施形態１では両外部導体圧着片３１，３１に一対の凸部３８を形成しているものの、本発明によると、一方の外部導体圧着片３１のみに凸部３８を形成してもよい。
【００３６】
（５）実施形態２では凸部３８が図１の図示手前側に形成され、凹部３９が図１の図示奥側に形成されているものの、本発明によると、凸部３８と凹部３９を逆に配置してもよい。
【００３７】
（６）上記実施形態では凸部３８ないし凹部３９を底面部３３の側部３３Ｂと外部導体圧着片３１の基端部との境界付近に形成しているものの、本発明によると、凸部３８ないし凹部３９を外部導体圧着片３１における基端部と先端部との間に形成してもよく、あるいは底面部３３の側部３３Ｂに形成してもよい。
【００３８】
（７）上記実施形態では第１セレーション部３４、第２セレーション部３５、第３セレーション部３６、および第４セレーション部３７が全て同じ形状とされているものの、本発明によると、第１セレーション部３４と第２セレーション部３５を同じ形状にし、第３セレーション部３６と第４セレーション部３７を同じ形状にすればよく、第１セレーション部３４と第３セレーション部３６が異なる形状であってもよい。また、第１セレーション部３４ないし第４セレーション部３７は、それぞれ異なる形状であってもよい。要するに、凹凸形状をなすセレーション部によって外部導体４３と外部導体圧着片３１との間における接触抵抗を小さくすることができ、かつ、同セレーション部によってシース圧着片３２のシース４４に対する固着力を向上させることができればよい。したがって、第１セレーション部３４ないし第４セレーション部３７の形状としては、それぞれ任意の形状を採用することができる。
【符号の説明】
【００３９】
１０…端子金具
３０…圧着部
３１…外部導体圧着片（圧着片）
３３…底面部（圧着部）
３４…第１セレーション部（溝部）
３５…第２セレーション部（溝部）
３６…第３セレーション部（溝部）
３６Ａ…長孔（溝部）
３７…第４セレーション部（溝部）
３８…凸部
３９…凹部
４０…同軸ケーブル（シールドケーブル）
４１…内部導体
４３…外部導体
４４…シース
【図１】
0005454293.tif 000002
【図２】
0005454293.tif 000003
【図３】
0005454293.tif 000004
【図４】
0005454293.tif 000005
【図５】
0005454293.tif 000006
【図６】
0005454293.tif 000007